(57)【要約】【課題】デザインを容易に変更することができる照明器具を提供する。【解決手段】照明器具２は、天井４の貫通孔６に埋込配設され、貫通孔６の周囲に配置される鍔部２０を有する器具本体８と、その少なくとも一部が鍔部２０と天井４との間に着脱自在に差し込まれた支持部材３８と、支持部材３８に支持されることにより、器具本体８の下方に配置された装飾部材４０とを備える。【選択図】図１
2017098116.tif 000002
【特許請求の範囲】
【請求項１】
天井に形成された貫通孔に埋込配設される照明器具であって、
前記貫通孔に埋込配設され、前記貫通孔の周囲に配置される鍔部を有する器具本体と、
その少なくとも一部が前記鍔部と前記天井との間に着脱自在に差し込まれた支持部材と、
前記支持部材に支持されることにより、前記器具本体の下方に配置された装飾部材と、を備える
照明器具。
【請求項２】
前記支持部材は、
円弧状又はリング状に形成され、前記装飾部材を支持する支持本体部と、
前記支持本体部の径方向内側に配置され、前記鍔部と前記天井との間に着脱自在に差し込まれる差込部と、を有する
請求項１に記載の照明器具。
【請求項３】
前記支持本体部は、
円弧状の第１の支持本体部と、
その一端部が前記第１の支持本体部の一端部に回動自在に連結された円弧状の第２の支持本体部と、を有し、
前記第１の支持本体部及び前記第２の支持本体部の各々の他端部は、互いに着脱自在に連結され、
前記差込部は、
前記第１の支持本体部から径方向内側に延びる第１の差込部と、
前記第２の支持本体部から径方向内側に延びる第２の差込部と、を有する
請求項２に記載の照明器具。
【請求項４】
前記第１の差込部には、前記第１の支持本体部の周方向に沿って延び、前記第１の差込部を切断するための第１の溝部が形成され、
前記第２の差込部には、前記第２の支持本体部の周方向に沿って延び、前記第２の差込部を切断するための第２の溝部が形成されている
請求項３に記載の照明器具。
【請求項５】
前記支持本体部は、
その一端部が前記装飾部材の周縁部に回動自在に連結された円弧状の第１の支持本体部と、
その一端部が前記装飾部材の周縁部に回動自在に連結され、前記第１の支持本体部と前記装飾部材の周方向に隣接して配置された円弧状の第２の支持本体部と、を有し、
前記第１の支持本体部及び前記第２の支持本体部の各々の他端部は、互いに着脱自在に連結され、
前記差込部は、
前記第１の支持本体部から径方向内側に延びる第１の差込部と、
前記第２の支持本体部から径方向内側に延びる第２の差込部と、
前記装飾部材の周縁部から径方向内側に延びる第３の差込部と、を有する
請求項２に記載の照明器具。
【請求項６】
前記第１の差込部には、前記第１の支持本体部の周方向に沿って延び、前記第１の差込部を切断するための第１の溝部が形成され、
前記第２の差込部には、前記第２の支持本体部の周方向に沿って延び、前記第２の差込部を切断するための第２の溝部が形成され、
前記第３の差込部には、前記装飾部材の周方向に沿って延び、前記第３の差込部を切断するための第３の溝部が形成されている
請求項５に記載の照明器具。
【請求項７】
前記支持本体部及び前記差込部の各々は、弾性変形自在のワイヤーリングで形成され、
前記支持部材は、さらに、前記支持本体部と前記差込部とを連結する連結部を有する
請求項２に記載の照明器具。
【請求項８】
前記支持本体部は、円弧状に形成され、前記装飾部材の周縁部に着脱自在に取り付けられ、
前記差込部は、前記支持本体部の一端部から他端部に亘って円弧状に延び、且つ、前記支持本体部から径方向内側に延びている
請求項２に記載の照明器具。
【請求項９】
前記支持部材は、さらに、円弧状に形成され、前記支持本体部の反対側における前記装飾部材の周縁部に着脱自在に取り付けられた押さえ部材を有し、
前記押さえ部材の両端部はそれぞれ、前記支持本体部の両端部を前記装飾部材に向けて押さえるように配置されている
請求項８に記載の照明器具。
【請求項１０】
前記装飾部材は、
前記貫通孔の周囲に配置された装飾リングと、
前記装飾リングに着脱自在に取り付けられ、前記器具本体を下方から覆う透光性の装飾カバーと、を有し、
前記支持部材は、前記装飾リングを支持する
請求項１〜９のいずれか１項に記載の照明器具。
【請求項１１】
天井に形成された貫通孔に埋込配設され且つ前記貫通孔の周囲に配置される鍔部を有する器具本体に着脱自在に取り付けられる照明ユニットであって、
その少なくとも一部が前記鍔部と前記天井との間に着脱自在に差し込まれる支持部材と、
前記支持部材に支持されることにより、前記器具本体の下方に配置される装飾部材と、を備える
照明ユニット。
【発明の詳細な説明】
【技術分野】
【０００１】
本発明は、照明器具及びこれに用いられる照明ユニットに関する。
【背景技術】
【０００２】
天井に形成された貫通孔に埋込配設されることにより、下方に光を照射する天井埋込型の照明器具（いわゆるダウンライト）が知られている。この種の照明器具は、天井の貫通孔に埋込配設された器具本体と、器具本体に着脱自在に取り付けられた電球型ランプとを備えている（例えば、特許文献１参照）。この種の照明器具は、例えば施工業者によって住宅等の建物の天井に設置される。
【先行技術文献】
【特許文献】
【０００３】
【特許文献１】特開２０１３−２２９１３８号公報
【発明の概要】
【発明が解決しようとする課題】
【０００４】
上述した照明器具を設置した後に、ユーザは、照明器具のデザインの変更を希望する場合がある。この場合、ユーザは、例えば施工業者に再度依頼して照明器具を交換してもらわなければならず、照明器具のデザインを容易に変更することができないという課題が生じる。
【０００５】
本発明は、このような課題に鑑みてなされたものであり、デザインを容易に変更することができる照明器具及び照明ユニットを提供することを目的とする。
【課題を解決するための手段】
【０００６】
上記課題を解決するために、本発明の一態様に係る照明器具は、天井に形成された貫通孔に埋込配設される照明器具であって、前記貫通孔に埋込配設され、前記貫通孔の周囲に配置される鍔部を有する器具本体と、その少なくとも一部が前記鍔部と前記天井との間に着脱自在に差し込まれた支持部材と、前記支持部材に支持されることにより、前記器具本体の下方に配置された装飾部材と、を備える。
【０００７】
また、本発明の一態様に係る照明ユニットは、天井に形成された貫通孔に埋込配設され且つ前記貫通孔の周囲に配置される鍔部を有する器具本体に着脱自在に取り付けられる照明ユニットであって、その少なくとも一部が前記鍔部と前記天井との間に着脱自在に差し込まれる支持部材と、前記支持部材に支持されることにより、前記器具本体の下方に配置される装飾部材と、を備える。
【発明の効果】
【０００８】
本発明の一態様に係る照明器具等によれば、照明器具のデザインを容易に変更することができる。
【図面の簡単な説明】
【０００９】
【図１】実施の形態１に係る照明器具を示す斜視図である。
【図２】実施の形態１に係る照明器具を示す分解斜視図である。
【図３】実施の形態１に係る照明器具の断面図である。
【図４】実施の形態１に係る支持部材を抜き出して示す斜視図である。
【図５】実施の形態１に係る支持部材を抜き出して示す斜視図である。
【図６】実施の形態１に係る照明ユニットを器具本体に取り付ける前の状態で、照明器具を室内側から見上げた状態を示す斜視図である。
【図７】実施の形態１に係る照明ユニットを器具本体に取り付ける途中の状態を示す斜視図である。
【図８】実施の形態１に係る照明ユニットを器具本体に取り付けた状態で、照明器具を室内側から見上げた状態を示す斜視図である。
【図９】実施の形態２に係る照明器具を示す斜視図である。
【図１０】実施の形態２に係る照明器具を示す分解斜視図である。
【図１１】実施の形態２に係る照明ユニットを抜き出して示す斜視図である。
【図１２】実施の形態３に係る照明器具を示す分解斜視図である。
【図１３】実施の形態３に係る照明ユニットを抜き出して示す斜視図である。
【図１４】実施の形態４に係る照明器具を示す分解斜視図である。
【図１５】実施の形態４に係る照明ユニットを抜き出して示す斜視図である。
【図１６】実施の形態５に係る照明器具を示す分解斜視図である。
【発明を実施するための形態】
【００１０】
以下、本発明の実施の形態について説明する。なお、以下に説明する実施の形態は、いずれも本発明の好ましい一具体例を示すものである。したがって、以下の実施の形態で示される、数値、形状、材料、構成要素、及び、構成要素の配置位置や接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１１】
また、各図は模式図であり、必ずしも厳密に図示されたものではない。なお、各図において、実質的に同一の構成に対しては同一の符号を付しており、重複する説明は省略又は簡略化する。
【００１２】
（実施の形態１）
以下、実施の形態１に係る照明器具及び照明ユニットについて説明する。
【００１３】
［１−１．照明器具の全体構成］
図１〜図３を参照しながら、実施の形態１に係る照明器具２の全体構成について説明する。図１は、実施の形態１に係る照明器具２を示す斜視図である。図２は、実施の形態１に係る照明器具２を示す分解斜視図である。図３は、実施の形態１に係る照明器具２の断面図である。なお、説明の都合上、図１では、器具本体８の一部を切り欠いて図示してある。
【００１４】
実施の形態１に係る照明器具２は、例えば天井４に形成された円形状の貫通孔６に埋込配設されることにより、下方（図１〜図３において下方）に光を照射する天井埋込型の照明器具（いわゆるダウンライト）である。なお、天井４は、例えば住宅等の建物における室内の天井である。
【００１５】
図１〜図３に示すように、照明器具２は、器具本体８と、器具本体８の内部に配置されたランプ１０（光源の一例）と、器具本体８に着脱自在に取り付けられる照明ユニット１２とを備えている。以下、照明器具２の各構成要素について詳細に説明する。
【００１６】
［１−２．器具本体］
まず、図１〜図３を参照しながら、器具本体８について説明する。図１〜図３に示すように、器具本体８は、上端部から下端部にかけて直径が漸増するラッパ状に形成されている。器具本体８は、例えばアルミニウム等の金属で一体に形成されている。本実施の形態では、器具本体８は、アルミダイカスト製である。
【００１７】
器具本体８の上端部にはソケット１４が配置されている。ソケット１４の内周面には雌ネジ１６が形成されている。ソケット１４は、照明器具２の外部に設置された商用電源等の外部電源（図示せず）とリード線（図示せず）を介して電気的に接続されている。外部電源からの交流電力（例えばＡＣ１００Ｖ）は、リード線を介してソケット１４に供給される。
【００１８】
器具本体８の下端部には、円形状の開口部１８が形成されている。すなわち、上述したソケット１４は、開口部１８の上方に配置されている。開口部１８の周縁部には、径方向外側に延びるリング状の鍔部２０が形成されている。この鍔部２０は、天井４の下面（室内側の面）に近接して配置され、且つ、貫通孔６の周囲を包囲するように配置されている。
【００１９】
器具本体８の下端部近傍における外側面には、複数の取付バネ（図示せず）が取り付けられている。これらの複数の取付バネは、照明器具２を天井４に取り付けるためのものである。複数の取付バネの各々は、弾性復元力を有する金属板で形成されている。
【００２０】
図１及び図３に示すように、器具本体８が天井４の貫通孔６に下方より挿通された状態で、複数の取付バネの各々と鍔部２０との間に天井４を挟持することにより、照明器具２が天井４に埋込配設される。
【００２１】
［１−３．ランプ］
図１〜図３を参照しながら、ランプ１０について説明する。図１〜図３に示すように、ランプ１０は、例えば電球型ＬＥＤ（Ｌｉｇｈｔ  Ｅｍｉｔｔｉｎｇ  Ｄｉｏｄｅ）ランプであり、器具本体８の内部に配置される。ランプ１０は、筐体２２、口金２４、回路ユニット２６、ＬＥＤモジュール２８及びグローブ３０を有している。
【００２２】
筐体２２は、一端部から他端部にかけて直径が漸増するラッパ状に形成されている。筐体２２は、例えばポリブチレンテレフタレート（ＰＢＴ）等の樹脂で形成されている。
【００２３】
口金２４は、ＬＥＤモジュール２８を発光させるための交流電力を受電する受電部であり、筐体２２の一端部に配置されている。口金２４の外周面には雄ネジ３２が形成されており、これにより口金２４は、器具本体８のソケット１４に着脱自在にねじ込まれる。このように口金２４がソケット１４に取り付けられることにより、口金２４は、ＬＥＤモジュール２８を発光させるための交流電力をソケット１４から受電することができる。なお、口金２４は、例えばねじ込み型のエジソンタイプ（Ｅ型）の口金である。
【００２４】
回路ユニット２６は、ＬＥＤモジュール２８を駆動するためのものであり、図３に示すように筐体２２の内部に配置されている。回路ユニット２６は、口金２４から供給された交流電力を、整流、平滑及び降圧等することにより所定レベルの直流電力に変換し、当該直流電力をＬＥＤモジュール２８に供給する。
【００２５】
ＬＥＤモジュール２８は、図３に示すように筐体２２の内部に配置されており、筐体２２の内部において口金２４と電気的に接続されている。ＬＥＤモジュール２８は、基板３４と、基板３４に実装された複数のＬＥＤチップ３６と、複数のＬＥＤチップ３６を封止する封止部材（図示せず）とを有している。ＬＥＤモジュール２８の実装構造は、例えばＬＥＤチップ３６が基板３４上に直接実装されたＣＯＢ（Ｃｈｉｐ  Ｏｎ  Ｂｏａｒｄ）構造である。
【００２６】
基板３４は、例えばセラミック基板、樹脂基板又はメタルベース基板等である。基板３４上には、回路ユニット２６からの直流電力を受電するための電極端子（図示せず）と、複数のＬＥＤチップ３６を実装するための配線パターン（図示せず）とが形成されている。
【００２７】
複数のＬＥＤチップ３６の各々は、例えば青色光を発する青色ＬＥＤチップである。複数のＬＥＤチップ３６は、基板３４上に形成された配線パターンに実装されており、基板３４上にマトリクス状に配置されている。
【００２８】
封止部材は、例えば透光性を有する樹脂で形成されており、複数のＬＥＤチップ３６が発する青色光を黄色光に波長変換する蛍光体粒子を含んでいる。これにより、ＬＥＤモジュール２８は、複数のＬＥＤチップ３６が発する青色光と、蛍光体粒子によって波長変換された黄色光との合成光として白色光を発する。
【００２９】
グローブ３０は、ＬＥＤモジュール２８からの光をランプ１０の外部に取り出すためのものであり、透光性を有する材料（例えば、透明又は半透明のガラス等）で形成されている。グローブ３０は、有底円筒状に形成され、ＬＥＤモジュール２８を覆うように筐体２２の他端部に配置されている。
【００３０】
［１−４．照明ユニット］
次に、照明ユニット１２について説明する。図１〜図３に示すように、照明ユニット１２は、支持部材３８及び装飾部材４０を備えている。以下、照明ユニット１２の各構成要素について詳細に説明する。
【００３１】
［１−４−１．支持部材］
まず、図１〜図５を参照しながら、支持部材３８について説明する。図４及び図５は、実施の形態１に係る支持部材３８を抜き出して示す斜視図である。
【００３２】
図１〜図３に示すように、支持部材３８は、器具本体８の鍔部２０と天井４との間に着脱自在に差し込まれ、装飾部材４０を上方から支持するためのリング状の部材である。支持部材３８は、第１の支持本体部４２（支持本体部の一例）、第２の支持本体部４４（支持本体部の一例）、一対の第１の差込部４６（差込部の一例）及び一対の第２の差込部４８（差込部の一例）を有している。支持部材３８は、例えば樹脂又は金属等で形成されている。
【００３３】
図２及び図４に示すように、第１の支持本体部４２は、円弧状の薄板状に形成されている。第１の支持本体部４２の一端部４２ａは、第２の支持本体部４４の一端部４４ａに回動自在に連結されている。これにより、図４に示すように、第１の支持本体部４２は、その一端部４２ａを中心に第２の支持本体部４４に対して回動自在である。第１の支持本体部４２の他端部４２ｂには、下方に向けて突出する突起５０が形成されている。
【００３４】
第１の支持本体部４２には、さらに、鍵穴形状の一対の支持用孔５２が形成されている。一対の支持用孔５２は、第１の支持本体部４２の周方向に間隔を置いて配置されている。一対の支持用孔５２の各々は、円形状の丸孔５２ａと、丸孔５２ａと連通され且つ第１の支持本体部４２の周方向に長尺状に延びる長孔５２ｂとを有している。丸孔５２ａの直径は、装飾部材４０に形成されたピン７０の頭部７０ｂ（後述する）の直径よりも大きく構成されている。長孔５２ｂの短手方向における幅は、ピン７０の頭部７０ｂの直径よりも小さく、且つ、ピン７０の脚部７０ａ（後述する）の直径よりも大きく構成されている。
【００３５】
図２及び図４に示すように、第２の支持本体部４４は、円弧状の薄板状に形成されている。上述したように、第２の支持本体部４４の一端部４４ａは、第１の支持本体部４２の一端部４２ａに回動自在に連結されている。これにより、図４に示すように、第２の支持本体部４４は、その一端部４４ａを中心に第１の支持本体部４２に対して回動自在である。第２の支持本体部４４の他端部４４ｂには、連結用孔５４が形成されている。図２に示すように、第１の支持本体部４２の突起５０がこの連結用孔５４に着脱自在に挿入されることにより、第１の支持本体部４２の他端部４２ｂと第２の支持本体部４４の他端部４４ｂとが着脱自在に連結される。この状態では、支持部材３８は、全体としてリング状に形成される。
【００３６】
第２の支持本体部４４には、さらに、鍵穴形状の支持用孔５６が形成されている。支持用孔５６は、円形状の丸孔５６ａと、丸孔５６ａと連通され且つ第２の支持本体部４４の周方向に長尺状に延びる長孔５６ｂとを有している。丸孔５６ａの直径は、装飾部材４０に形成されたピン７０の頭部７０ｂの直径よりも大きく構成されている。長孔５６ｂの短手方向における幅は、丸孔５６ａの直径よりも小さく、且つ、ピン７０の脚部７０ａの直径よりも大きく構成されている。
【００３７】
一対の第１の差込部４６は、第１の支持本体部４２の周方向に間隔を置いて配置され、第１の支持本体部４２の内周縁から径方向内側に短冊状に延びている。図３に示すように、一対の第１の差込部４６の各々の厚みＤ１は、器具本体８の鍔部２０と天井４との間の隙間の大きさＤ２よりも薄く構成されている。また、一対の第１の差込部４６の各々の先端は円弧状に形成されている。
【００３８】
一対の第１の差込部４６の各々には、第１の支持本体部４２の周方向に沿って円弧状に延びる一対の第１の溝部５８，６０が形成されている。第１の溝部５８は、第１の支持本体部４２の内周部よりも径方向内側に配置され、第１の溝部６０は、第１の支持本体部４２の内周部上に配置されている。図５に示すように、例えば第１の溝部５８に沿って第１の差込部４６を手で折り曲げることにより、第１の溝部５８に沿って第１の差込部４６を切断することができる。同様に、第１の溝部６０に沿って第１の差込部４６を手で折り曲げることにより、第１の溝部６０に沿って第１の差込部４６を切断することができる。なお、一対の第１の溝部５８，６０の各々は、第１の支持本体部４２を貫通するスリットであってもよく、あるいは、第１の支持本体部４２を貫通しないハーフカットであってもよい。
【００３９】
一対の第２の差込部４８は、第２の支持本体部４４の周方向に間隔を置いて配置され、第２の支持本体部４４の内周部から径方向内側に短冊状に延びている。図３に示すように、一対の第２の差込部４８の各々の厚み（Ｄ１と同一）は、器具本体８の鍔部２０と天井４との間の隙間の大きさＤ２よりも薄く構成されている。また、一対の第２の差込部４８の各々の先端は円弧状に形成されている。
【００４０】
一対の第２の差込部４８の各々には、第２の支持本体部４４の周方向に沿って円弧状に延びる一対の第２の溝部６２，６４が形成されている。第２の溝部６２は、第２の支持本体部４４の内周部よりも径方向内側に配置され、第２の溝部６４は、第２の支持本体部４４の内周部上に配置されている。図５に示すように、例えば第２の溝部６２に沿って第２の差込部４８を手で折り曲げることにより、第２の溝部６２に沿って第２の差込部４８を切断することができる。同様に、第２の溝部６４に沿って第２の差込部４８を手で折り曲げることにより、第２の溝部６４に沿って第２の差込部４８を切断することができる。なお、一対の第２の溝部６２，６４の各々は、第２の支持本体部４４を貫通するスリットであってもよく、あるいは、第２の支持本体部４４を貫通しないハーフカットであってもよい。
【００４１】
図１及び図３に示すように、一対の第１の差込部４６及び一対の第２の差込部４８の各々が器具本体８の鍔部２０と天井４との間に着脱自在に差し込まれることにより、支持部材３８が器具本体８に着脱自在に取り付けられる。このとき、一対の第１の差込部４６及び一対の第２の差込部４８の各々の先端は、器具本体８の下端部における外側面に接触する。また、第１の支持本体部４２及び第２の支持本体部４４は、天井４の貫通孔６の周囲を包囲するように配置されるようになる。
【００４２】
なお、図２に示すように、第１の支持本体部４２の他端部４２ｂと第２の支持本体部４４の他端部４４ｂとを連結した状態において、一対の第１の差込部４６及び一対の第２の差込部４８の各々の先端によって円Ｃ１が規定される。図３に示すように、この円Ｃ１の直径は、器具本体８の下端部における直径と略同一である。
【００４３】
また、図５に示すように、第１の溝部５８に沿って第１の差込部４６を切断し、且つ、第２の溝部６２に沿って第２の差込部４８を切断した場合には、一対の第１の差込部４６及び一対の第２の差込部４８の各々の先端（第１の溝部５８及び第２の溝部６２）によって円Ｃ２が規定される。この円Ｃ２の直径は、上述した円Ｃ１の直径よりも大きくなる。
【００４４】
［１−４−２．装飾部材］
次に、図１〜図３を参照しながら、装飾部材４０について説明する。装飾部材４０は、器具本体８の下方に配置されることにより、器具本体８を室内側から装飾するためのものである。図１〜図３に示すように、装飾部材４０は、装飾リング６６及び装飾カバー６８を有している。これらの装飾リング６６及び装飾カバー６８は、例えば樹脂で一体に形成されている。
【００４５】
装飾リング６６は、リング状に形成され、天井４の下面側において貫通孔６の周囲に配置されている。装飾リング６６の下面（室内側の面）には、例えば木目等の模様（図示せず）が形成されている。
【００４６】
図２に示すように、装飾リング６６の上面には、複数のピン７０が形成されている。これらの複数のピン７０は、一対の支持用孔５２の各々の丸孔５２ａ及び支持用孔５６の丸孔５６ａの各位置に対応して、装飾リング６６の周方向に間隔を置いて配置されている。ピン７０は、装飾リング６６の上面から上方に延びる円柱状の脚部７０ａと、脚部７０ａの先端に形成された円板状の頭部７０ｂとを有している。頭部７０ｂの直径は、脚部７０ａの直径よりも大きく構成されている。なお、脚部７０ａの長さは、第１の支持本体部４２及び第２の支持本体部４４の各々の厚みよりも長く構成されている。図１及び図２に示すように、複数のピン７０の各々の頭部７０ｂがそれぞれ一対の支持用孔５２の各々の長孔５２ｂ及び支持用孔５６の長孔５６ｂに着脱自在に係合されることにより、装飾部材４０が第１の支持本体部４２及び第２の支持本体部４４に上方から支持される。
【００４７】
装飾カバー６８は、有底円筒状に形成され、透光性を有する材料（例えば、乳白色の樹脂等）で形成されている。装飾カバー６８は、装飾リング６６の内周面に接続され、器具本体８の開口部１８を下方より覆っている。例えば装飾カバー６８が乳白色の樹脂で形成されている場合には、装飾カバー６８は拡散カバーとして機能し、ランプ１０からの光を拡散させる。
【００４８】
［１−５．照明ユニットの取付手順］
次に、図４及び図６〜図８を参照しながら、照明ユニット１２を器具本体８に取り付ける手順について説明する。図６は、実施の形態１に係る照明ユニット１２を器具本体８に取り付ける前の状態で、照明器具２’を室内側から見上げた状態を示す斜視図である。図７は、実施の形態１に係る照明ユニット１２を器具本体８に取り付ける途中の状態を示す斜視図である。図８は、実施の形態１に係る照明ユニット１２を器具本体８に取り付けた状態で、照明器具２を室内側から見上げた状態を示す斜視図である。なお、説明の都合上、図７では、器具本体８の一部を切り欠いて図示してある。
【００４９】
図６に示すように、照明ユニット１２を器具本体８に取り付ける前の状態では、天井４には、既存のダウンライトである照明器具２’が設置されている。器具本体８のソケット１４（図１参照）には、ランプ１０が着脱自在に取り付けられている。また、器具本体８の鍔部２０が天井４の下面に露出されるとともに、ランプ１０が器具本体８の開口部１８を通して露出されている。この照明器具２’のデザインを変更する場合には、以下の手順で照明ユニット１２を器具本体８に取り付ければよい。
【００５０】
まず、支持部材３８を器具本体８に着脱自在に取り付ける。図４に示すように、第１の支持本体部４２の突起５０を第２の支持本体部４４の連結用孔５４にから引き抜くことにより、第１の支持本体部４２の他端部４２ｂと第２の支持本体部４４の他端部４４ｂとの連結を解除する。この状態で、図４中の矢印Ｐで示すように、第１の支持本体部４２の他端部４２ｂと第２の支持本体部４４の他端部４４ｂとが互いに離れる方向に、第１の支持本体部４２及び第２の支持本体部４４を相互に回動させる。
【００５１】
その後、支持部材３８を天井４の下面に近付けて貫通孔６の周囲に配置し、図４中の矢印Ｑで示すように、第１の支持本体部４２の他端部４２ｂと第２の支持本体部４４の他端部４４ｂとが互いに近付く方向に、第１の支持本体部４２及び第２の支持本体部４４を相互に回動させる。これにより、図７に示すように、一対の第１の差込部４６及び一対の第２の差込部４８の各々が器具本体８の鍔部２０と天井４との間に差し込まれる。その後、第１の支持本体部４２の突起５０を第２の支持本体部４４の連結用孔５４に挿入することにより、第１の支持本体部４２の他端部４２ｂと第２の支持本体部４４の他端部４４ｂとを連結する。このようにして支持部材３８が器具本体８に取り付けられる。
【００５２】
次に、装飾部材４０を支持部材３８に支持させる。図７に示すように、装飾部材４０を下方から支持部材３８に近付けた後に、装飾部材４０の複数のピン７０をそれぞれ一対の支持用孔５２の各々の丸孔５２ａ及び支持用孔５６の丸孔５６ａに挿通させる。その後、装飾部材４０を支持部材３８に対して図７中の矢印Ｒで示す方向に回動させることにより、複数のピン７０の各々の脚部７０ａがそれぞれ一対の支持用孔５２の各々の長孔５２ｂ及び支持用孔５６の長孔５６ｂに沿って移動する。これにより、複数のピン７０の各々の頭部７０ｂがそれぞれ一対の支持用孔５２の各々の長孔５２ｂ及び支持用孔５６の長孔５６ｂに着脱自在に係合され、装飾部材４０が第１の支持本体部４２及び第２の支持本体部４４に上方から支持される。
【００５３】
以上のようにして、図８に示すように、照明ユニット１２が器具本体８に取り付けられる。このとき、装飾リング６６が天井４の貫通孔６の周囲に配置され、且つ、装飾カバー６８が器具本体８の開口部１８を覆うことにより、器具本体８が装飾部材４０により装飾される。これにより、照明器具２のデザインを変更することができる。
【００５４】
なお、器具本体８の下端部における直径が比較的大きい場合には、図５に示すように、例えば第１の溝部５８に沿って第１の差込部４６を切断し、且つ、第２の溝部６２に沿って第２の差込部４８を切断すればよい。これにより、一対の第１の差込部４６及び一対の第２の差込部４８の各々を器具本体８の鍔部２０と天井４との間に差し込むことができる。
【００５５】
［１−６．効果］
上述したように、実施の形態１に係る照明器具２は、天井４に形成された貫通孔６に埋込配設される照明器具である。照明器具２は、貫通孔６に埋込配設され、貫通孔６の周囲に配置される鍔部２０を有する器具本体８と、その少なくとも一部が鍔部２０と天井４との間に着脱自在に差し込まれた支持部材３８と、支持部材３８に支持されることにより、器具本体８の下方に配置された装飾部材４０とを備える。
【００５６】
この構成によれば、支持部材３８の少なくとも一部が鍔部２０と天井４との間に差し込まれ、装飾部材４０が支持部材３８に支持される。これにより、装飾部材４０が器具本体８の下方に配置され、器具本体８が装飾部材４０により装飾される。したがって、支持部材３８の少なくとも一部を鍔部２０と天井４との間に差し込み、且つ、装飾部材４０を支持部材３８に支持させるという比較的簡単な作業を行うことにより、照明器具２のデザインを容易に変更することができる。
【００５７】
さらに、支持部材３８は、円弧状又はリング状に形成され、装飾部材４０を支持する支持本体部４２，４４と、支持本体部４２，４４の径方向内側に配置され、鍔部２０と天井４との間に着脱自在に差し込まれる差込部４６，４８とを有する。
【００５８】
この構成によれば、差込部４６，４８を鍔部２０と天井４との間に差し込み、且つ、装飾部材４０を支持本体部４２，４４に支持させるという比較的簡単な作業を行うことにより、照明器具２のデザインを容易に変更することができる。
【００５９】
さらに、支持本体部は、円弧状の第１の支持本体部４２と、その一端部４４ａが第１の支持本体部４２の一端部４２ａに回動自在に連結された円弧状の第２の支持本体部４４とを有している。第１の支持本体部４２及び第２の支持本体部４４の各々の他端部４２ｂ，４４ｂは、互いに着脱自在に連結されている。差込部は、第１の支持本体部４２から径方向内側に延びる第１の差込部４６と、第２の支持本体部４４から径方向内側に延びる第２の差込部４８とを有している。
【００６０】
この構成によれば、第１の差込部４６及び第２の差込部４８の各々を鍔部２０と天井４との間に差し込み、且つ、装飾部材４０を第１の支持本体部４２及び第２の支持本体部４４に支持させるという比較的簡単な作業を行うことにより、照明器具２のデザインを容易に変更することができる。
【００６１】
さらに、第１の差込部４６には、第１の支持本体部４２の周方向に沿って延び、第１の差込部４６を切断するための第１の溝部５８，６０が形成されている。第２の差込部４８には、第２の支持本体部４４の周方向に沿って延び、第２の差込部４８を切断するための第２の溝部６２，６４が形成されている。
【００６２】
この構成によれば、器具本体８の直径が比較的大きい場合に、第１の溝部５８（６０）に沿って第１の差込部４６を切断し、且つ、第２の溝部６２（６４）に沿って第２の差込部４８を切断すればよい。これにより、第１の差込部４６及び第２の差込部４８の各々を器具本体８の鍔部２０と天井４との間に差し込むことができる。その結果、支持部材３８の汎用性を高めることができる。
【００６３】
また、実施の形態１に係る照明ユニット１２は、天井４に形成された貫通孔６に埋込配設され、貫通孔６の周囲に配置される鍔部２０を有する器具本体８に着脱自在に取り付けられる照明ユニットである。照明ユニット１２は、その少なくとも一部が鍔部２０と天井４との間に着脱自在に差し込まれる支持部材３８と、支持部材３８に支持されることにより、器具本体８の下方に配置される装飾部材４０とを備える。
【００６４】
この構成によれば、支持部材３８の少なくとも一部が鍔部２０と天井４との間に差し込まれ、装飾部材４０が支持部材３８に支持される。これにより、装飾部材４０が器具本体８の下方に配置され、器具本体８が装飾部材４０により装飾される。したがって、支持部材３８の少なくとも一部を鍔部２０と天井４との間に差し込み、且つ、装飾部材４０を支持部材３８に支持させるという比較的簡単な作業を行うことにより、照明器具２のデザインを容易に変更することができる。
【００６５】
（実施の形態２）
［２−１．照明器具の構成］
次に、図９〜図１１を参照しながら、実施の形態２に係る照明器具２Ａ及び照明ユニット１２Ａの各構成について説明する。図９は、実施の形態２に係る照明器具２Ａを示す斜視図である。図１０は、実施の形態２に係る照明器具２Ａを示す分解斜視図である。図１１は、実施の形態２に係る照明ユニット１２Ａを抜き出して示す斜視図である。説明の都合上、図９では、器具本体８の一部を切り欠いて図示してある。なお、以下の各実施の形態において、実施の形態１と同一の構成要素には同一の符号を付して、その説明を省略する。
【００６６】
実施の形態２に係る照明器具２Ａでは、支持部材３８Ａ及び装飾部材４０Ａの各構成が実施の形態１と異なっている。以下、支持部材３８Ａ及び装飾部材４０Ａの各構成について説明する。
【００６７】
図９〜図１１に示すように、支持部材３８Ａは、第１の支持本体部７２（支持本体部の一例）、第２の支持本体部７４（支持本体部の一例）、第１の差込部７６（差込部の一例）、第２の差込部７８（差込部の一例）及び一対の第３の差込部８０（差込部の一例）を有している。
【００６８】
第１の支持本体部７２は、円弧状に形成されている。第１の支持本体部７２の一端部７２ａは、装飾部材４０Ａの装飾リング６６Ａの上面における外周部（周縁部の一例）に回動自在に連結されている。これにより、図１１に示すように、第１の支持本体部７２は、その一端部７２ａを中心に装飾リング６６Ａに対して回動自在である。第１の支持本体部７２の他端部７２ｂには、第１の支持本体部７２の周方向に突出した突片８２が形成されている。
【００６９】
第２の支持本体部７４は、円弧状に形成されている。第２の支持本体部７４の一端部７４ａは、装飾リング６６Ａの上面における外周部に回動自在に連結されている。これにより、図１１に示すように、第２の支持本体部７４は、その一端部７４ａを中心に装飾リング６６Ａに対して回動自在である。第２の支持本体部７４の他端部７４ｂには、第２の支持本体部７４の周方向に延びる連結用スリット８４が形成されている。図１０に示すように、第１の支持本体部７２の突片８２がこの連結用スリット８４に着脱自在に挿入されることにより、第１の支持本体部７２の他端部７２ｂと第２の支持本体部７４の他端部７４ｂとが着脱自在に連結される。この状態では、第１の支持本体部７２及び第２の支持本体部７４は、装飾リング６６Ａの周方向に隣接して配置され、且つ、装飾リング６６Ａの上面における外周部に沿って円弧状に配置される。
【００７０】
第１の差込部７６は、第１の支持本体部７２の内周部から径方向内側に短冊状に延びている。また、第１の差込部７６の先端は円弧状に形成されている。第１の差込部７６には、第１の支持本体部７２の周方向に沿って円弧状に延びる一対の第１の溝部８６，８８が形成されている。第１の溝部８６は、第１の支持本体部７２の内周部よりも径方向内側に配置され、第１の溝部８８は、第１の溝部８６と第１の支持本体部７２の内周部との間に配置されている。
【００７１】
第２の差込部７８は、第２の支持本体部７４の内周部から径方向内側に短冊状に延びている。また、第２の差込部７８の先端は円弧状に形成されている。第２の差込部７８には、第２の支持本体部７４の周方向に沿って円弧状に延びる一対の第２の溝部９０，９２が形成されている。第２の溝部９０は、第２の支持本体部７４の内周部よりも径方向内側に配置され、第２の溝部９２は、第２の溝部９０と第２の支持本体部７４の内周部との間に配置されている。
【００７２】
一対の第３の差込部８０は、装飾リング６６Ａの上面における外周部に形成された壁部９４の内周部から径方向内側に短冊状に延びている。なお、壁部９４は、装飾リング６６Ａの周方向に沿って円弧状に延び、第１の支持本体部７２及び第２の支持本体部７４の各々と隣接して配置されている。また、一対の第３の差込部８０の各々の先端は円弧状に形成されている。第３の差込部８０には、装飾リング６６Ａの周方向に沿って円弧状に延びる一対の第３の溝部９６，９８が形成されている。第３の溝部９６は、壁部９４の径方向内側に配置され、第３の溝部９８は、第３の溝部９６と壁部９４の内周部との間に配置されている。
【００７３】
図９に示すように、第１の差込部７６、第２の差込部７８及び一対の第３の差込部８０の各々が器具本体８の鍔部２０と天井４との間に着脱自在に差し込まれることにより、支持部材３８Ａが器具本体８に着脱自在に取り付けられる。このとき、第１の差込部７６、第２の差込部７８及び一対の第３の差込部８０の各々の先端は、器具本体８の下端部における外側面に接触する。また、第１の支持本体部７２、第２の支持本体部７４及び壁部９４は、天井４の貫通孔６の周囲を包囲するように配置されるようになる。
【００７４】
［２−２．照明ユニットの取付手順］
次に、図９及び図１１を参照しながら、照明ユニット１２Ａを器具本体８に取り付ける手順について説明する。
【００７５】
まず、支持部材３８Ａを器具本体８に着脱自在に取り付ける。図１１に示すように、第１の支持本体部７２の突片８２を第２の支持本体部７４の連結用スリット８４から引き抜くことにより、第１の支持本体部７２の他端部７２ｂと第２の支持本体部７４の他端部７４ｂとの連結を解除する。この状態で、図１１中の矢印Ｐで示すように、第１の支持本体部７２の他端部７２ｂと第２の支持本体部７４の他端部７４ｂとが互いに離れる方向に、第１の支持本体部７２及び第２の支持本体部７４を相互に回動させる。
【００７６】
その後、支持部材３８Ａを天井４の下面に近付けて貫通孔６の周囲に配置し、図１１中の矢印Ｑで示すように、第１の支持本体部７２の他端部７２ｂと第２の支持本体部７４の他端部７４ｂとが互いに近付く方向に、第１の支持本体部７２及び第２の支持本体部７４を相互に回動させる。これにより、図９に示すように、第１の差込部７６、第２の差込部７８及び一対の第３の差込部８０の各々が器具本体８の鍔部２０と天井４との間に差し込まれる。その後、第１の支持本体部７２の突片８２を第２の支持本体部７４の連結用スリット８４に挿入することにより、第１の支持本体部７２の他端部７２ｂと第２の支持本体部７４の他端部７４ｂとを連結する。このようにして支持部材３８Ａが器具本体８に取り付けられる。
【００７７】
以上のようにして、照明ユニット１２Ａが器具本体８に取り付けられる。このとき、装飾リング６６Ａが天井４の貫通孔６の周囲に配置され、且つ、装飾カバー６８が器具本体８の開口部１８を覆うことにより、器具本体８が装飾部材４０Ａにより装飾される。これにより、照明器具２Ａのデザインを変更することができる。
【００７８】
［２−３．効果］
以上説明したように、実施の形態２に係る照明器具２Ａでは、支持本体部は、その一端部７２ａが装飾部材４０Ａの周縁部に回動自在に連結された円弧状の第１の支持本体部７２と、その一端部７４ａが装飾部材４０Ａの周縁部に回動自在に連結され、第１の支持本体部７２と装飾部材４０Ａの周方向に隣接して配置された円弧状の第２の支持本体部７４とを有している。第１の支持本体部７２及び第２の支持本体部７４の各々の他端部は、互いに着脱自在に連結されている。差込部は、第１の支持本体部７２から径方向内側に延びる第１の差込部７６と、第２の支持本体部７４から径方向内側に延びる第２の差込部７８と、装飾部材４０Ａの周縁部から径方向内側に延びる第３の差込部８０とを有している。
【００７９】
この構成によれば、第１の差込部７６、第２の差込部７８及び第３の差込部８０の各々を鍔部２０と天井４との間に差し込むという比較的簡単な作業を行うことにより、照明器具２Ａのデザインを容易に変更することができる。
【００８０】
さらに、第１の差込部７６には、第１の支持本体部７２の周方向に沿って延び、第１の差込部７６を切断するための第１の溝部８６，８８が形成されている。第２の差込部７８には、第２の支持本体部７４の周方向に沿って延び、第２の差込部７８を切断するための第２の溝部９０，９２が形成されている。第３の差込部８０には、装飾部材４０Ａの周方向に沿って延び、第３の差込部８０を切断するための第３の溝部９６，９８が形成されている。
【００８１】
この構成によれば、器具本体８の直径が比較的大きい場合に、第１の溝部８６（８８）に沿って第１の差込部７６を切断し、且つ、第２の溝部９０（９２）に沿って第２の差込部７８を切断し、さらに、第３の溝部９６（９８）に沿って第３の差込部８０を切断すればよい。これにより、第１の差込部７６、第２の差込部７８及び第３の差込部８０の各々を器具本体８の鍔部２０と天井４との間に差し込むことができる。その結果、支持部材３８Ａの汎用性を高めることができる。
【００８２】
（実施の形態３）
［３−１．照明器具の構成］
次に、図１２及び図１３を参照しながら、実施の形態３に係る照明器具２Ｂ及び照明ユニット８Ｂの各構成について説明する。図１２は、実施の形態３に係る照明器具２Ｂを示す分解斜視図である。図１３は、実施の形態３に係る照明ユニット１２Ｂを抜き出して示す斜視図である。
【００８３】
実施の形態３に係る照明器具２Ｂでは、支持部材３８Ｂ及び装飾部材４０Ｂの各構成が実施の形態１と異なっている。以下、支持部材３８Ｂ及び装飾部材４０Ｂの各構成について説明する。
【００８４】
図１２及び図１３に示すように、装飾部材４０Ｂの装飾カバー６８Ｂは、装飾リング６６Ｂの開口部１００に着脱自在に取り付けられている。装飾カバー６８Ｂを装飾リング６６Ｂに取り付ける際には、例えば図１２の矢印Ｓで示す方向に装飾カバー６８Ｂを装飾リング６６Ｂに対して回動させる。一方、装飾カバー６８Ｂを装飾リング６６Ｂから取り外す際には、例えば図１２の矢印Ｔで示す方向に装飾カバー６８Ｂを装飾リング６６Ｂに対して回動させる。
【００８５】
装飾リング６６Ｂの上面における外周部には、取付壁部１０２が形成されている。取付壁部１０２は、装飾リング６６Ｂの周方向に沿ってリング状に延び、断面Ｌ字状に形成されている。また、取付壁部１０２には切欠部１０２ａが形成されている。
【００８６】
図１２及び図１３に示すように、支持部材３８Ｂは、支持本体部１０４、差込部１０６及び連結部１０８を有している。支持本体部１０４及び差込部１０６の各々は、弾性変形自在のワイヤーリングで形成されている。支持本体部１０４の直径は差込部１０６の直径よりも大きく、支持本体部１０４及び差込部１０６は同心円状に配置されている。差込部１０６は、支持本体部１０４の径方向内側に配置され、且つ、支持本体部１０４の上側（器具本体８側）に配置されている。支持本体部１０４及び差込部１０６にはそれぞれ、一対の切欠部１０４ａ，１０６ａが形成されている。また、差込部１０６の切欠部１０６ａと反対側には、コの字状に折り曲げられた折曲部１０６ｂが形成されている。連結部１０８は、支持本体部１０４と差込部１０６とを連結するためのものであり、一対の切欠部１０４ａ，１０６ａの間に配置されている。
【００８７】
支持本体部１０４は、装飾リング６６Ｂの取付壁部１０２の外周部に着脱自在に取り付けられる。また、差込部１０６は、器具本体８の鍔部２０と天井４（図１参照）との間に着脱自在に差し込まれる。このとき、連結部１０８の一部は、取付壁部１０２の切欠部１０２ａに配置される。
【００８８】
［３−２．照明ユニットの取付手順］
次に、図１２を参照しながら、照明ユニット１２Ｂを器具本体８に取り付ける手順について説明する。
【００８９】
まず、図１２中の矢印Ｕで示すように、支持部材３８Ｂに力を加えることにより切欠部１０４ａ，１０６ａが互いに離れるように支持部材３８Ｂを弾性変形させた状態で、支持部材３８Ｂを天井４の下面に近付けて貫通孔６の周囲に配置する。その後、支持部材３８Ｂに加える力を弱めることにより、図１２中の矢印Ｖで示すように、支持部材３８Ｂが弾性復元力によって元の形状（図１２に示す形状）に復帰する。これにより、差込部１０６が器具本体８の鍔部２０と天井４との間に着脱自在に差し込まれ、支持部材３８Ｂが器具本体８に取り付けられる。
【００９０】
その後、支持部材３８Ｂに力を加えることにより切欠部１０４ａ，１０６ａが互いに離れるように支持部材３８Ｂを再度弾性変形させた状態で、装飾部材４０Ｂを支持部材３８Ｂに下方から近付ける。その後、支持部材３８Ｂに加える力を弱めることにより、支持部材３８Ｂが弾性復元力によって元の形状に復帰する。これにより、支持本体部１０４が取付壁部１０２の外周部に着脱自在に取り付けられ、装飾部材４０Ｂが支持部材３８Ｂに上方から支持される。このとき、装飾リング６８Ｂは、装飾リング６６Ｂに予め取り付けられていてもよく、あるいは、装飾リング６６Ｂに後から取り付けられてもよい。
【００９１】
以上のようにして、照明ユニット１２Ｂが器具本体８に取り付けられ、照明器具２Ｂのデザインを変更することができる。
【００９２】
［３−３．効果］
以上説明したように、実施の形態３に係る照明器具２Ｂでは、支持本体部１０４及び差込部１０６の各々は、弾性変形自在のワイヤーリングで形成されている。支持部材３８Ｂは、さらに、支持本体部１０４と差込部１０６とを連結する連結部１０８を有している。
【００９３】
この構成によれば、差込部１０６を弾性変形させることにより、支持部材３８Ｂを器具本体８に容易に取り付けることができる。また、支持本体部１０４を弾性変形させることにより、装飾部材４０Ｂを支持部材３８Ｂに容易に支持させることができる。
【００９４】
さらに、装飾部材４０Ｂは、貫通孔６の周囲に配置された装飾リング６６Ｂと、装飾リング６６Ｂに着脱自在に取り付けられ、器具本体８を下方から覆う透光性の装飾カバー６８Ｂとを有している。支持部材３８Ｂは、装飾リング６６Ｂを支持する。
【００９５】
この構成によれば、装飾カバー６８Ｂの種類を例えば拡散タイプの装飾カバー又はシャンデリアタイプの装飾カバー等に交換することにより、照明器具２Ｂのデザインを容易に変更することができる。
【００９６】
（実施の形態４）
［４−１．照明器具の構成］
次に、図１４及び図１５を参照しながら、実施の形態４に係る照明器具２Ｃ及び照明ユニット１２Ｃの各構成について説明する。図１４は、実施の形態４に係る照明器具２Ｃを示す分解斜視図である。図１５は、実施の形態４に係る照明ユニット１２Ｃを抜き出して示す斜視図である。
【００９７】
実施の形態４に係る照明器具２Ｃでは、支持部材３８Ｃ及び装飾部材４０Ｃの各構成が実施の形態１と異なっている。以下、支持部材３８Ｃ及び装飾部材４０Ｃの各構成について説明する。
【００９８】
図１４及び図１５に示すように、装飾部材４０Ｃの装飾リング６６Ｃの上面における外周部には、一対のピン１１０及び一対の突起１１２が形成されている。これらの一対のピン１１０及び一対の突起１１２は、装飾リング６６Ｃの周方向に沿って間隔を置いて交互に配置されている。ピン１１０は、装飾リング６６Ｃの上面から上方に延びる円柱状の脚部１１０ａと、脚部１１０ａの先端に形成された円板状の頭部１１０ｂとを有している。頭部１１０ｂの直径は、脚部１１０ａの直径よりも大きく構成されている。なお、脚部１１０ａの長さは、支持部材３８Ｃの支持本体部１１４（後述する）の厚みよりも長く構成されている。なお、実施の形態３と同様に、装飾カバー６８Ｂは、装飾リング６６Ｃの開口部１００Ｃに着脱自在に取り付けられる。
【００９９】
図１４及び図１５に示すように、支持部材３８Ｃの支持本体部１１４は、円弧状の薄板状に形成されている。支持本体部１１４の周方向における両端部にはそれぞれ、鍵穴形状の一対の支持用孔１１６が形成されている。一対の支持用孔１１６の各々は、円形状の丸孔１１６ａと、丸孔１１６ａと連通され且つ支持本体部１１４の周方向に長尺状に延びる長孔１１６ｂとを有している。丸孔１１６ａの直径は、装飾部材４０Ｃに形成されたピン１１０の頭部１１０ｂの直径よりも大きく構成されている。長孔１１６ｂの短手方向における幅は、ピン１１０の頭部１１０ｂの直径よりも小さく、且つ、ピン１１０の脚部１１０ａの直径よりも大きく構成されている。また、支持本体部１１４の外周部には切欠部１１８が形成されている。
【０１００】
一対のピン１１０の各々の頭部１１０ｂがそれぞれ一対の支持用孔１１６の各々の長孔１１６ｂに着脱自在に係合されることにより、支持本体部１１４が装飾リング６６Ｃの外周部に着脱自在に取り付けられる。なお、装飾リング６６Ｃの突起１１２は、支持本体部１１４の切欠部１１８に着脱自在に係合される。
【０１０１】
差込部１２０は、支持本体部１１４の一端部から他端部に亘って円弧状に延び、且つ、支持本体部１１４の内周部から径方向内側に延びている。なお、差込部１２０は、断面Ｌ字状に形成されている。
【０１０２】
さらに、図１４及び図１５に示すように、支持本体部１１４の反対側における装飾リング６６Ｃの上面における外周部には、円弧状の押さえ部材１２２が着脱自在に取り付けられている。押さえ部材１２２の周方向における両端部にはそれぞれ、一対のスリット１２４が形成されている。また、押さえ部材１２２の外周部には、切欠部１２６が形成されている。押さえ部材１２２の周方向における両端部がそれぞれピン１１０の頭部１１０ｂと支持本体部１１４との間に差し込まれ、且つ、ピン１１０の脚部１１０ａがスリット１２４に挿入される。これにより、支持本体部１１４の周方向における両端部がそれぞれ押さえ部材１２２の両端部により装飾リング６６Ｃに向けて押さえられる。なお、装飾リング６６Ｃの突起１１２は、押さえ部材１２２の切欠部１２６に着脱自在に係合される。
【０１０３】
［４−２．照明ユニットの取付手順］
次に、図１４を参照しながら、照明ユニット１２Ｃを器具本体８に取り付ける手順について説明する。
【０１０４】
まず、図１４に示すように、支持部材３８Ｃを装飾リング６６Ｃの上面に近付けた後に、装飾リング６６Ｃの一対のピン１１０をそれぞれ一対の支持用孔１１６の各々の丸孔１１６ａに挿通させる。その後、支持部材３８Ｃを装飾リング６６Ｃに対してスライドさせることにより、一対のピン１１０の各々の脚部１１０ａがそれぞれ一対の支持用孔１１６の各々の長孔１１６ｂに沿って移動する。これにより、一対のピン１１０の各々の頭部１１０ｂがそれぞれ一対の支持用孔１１６の各々の長孔１１６ｂに着脱自在に係合され、支持部材３８Ｃが装飾リング６６Ｃに着脱自在に取り付けられる。なお、装飾リング６６Ｃの突起１１２が支持本体部１１４の切欠部１１８に着脱自在に係合されることにより、支持部材３８Ｃが装飾リング６６Ｃから外れるのを抑制することができる。
【０１０５】
その後、支持部材３８Ｃを天井４（図１参照）の下面に近付けて貫通孔６の周囲に配置し、支持部材３８Ｃを装飾部材４０Ｃとともに器具本体８に向けてスライドさせる。これにより、差込部１２０が器具本体８の鍔部２０と天井４との間に着脱自在に差し込まれ、支持部材３８Ｃが器具本体８に取り付けられる。
【０１０６】
その後、押さえ部材１２２を支持部材３８Ｃの反対側から装飾リング６６Ｃと天井４との間に差し込むことにより、支持本体部１１４の周方向における両端部がそれぞれ押さえ部材１２２の両端部により装飾リング６６Ｃに向けて押さえられる。なお、装飾リング６６Ｃの突起１１２が押さえ部材１２２の切欠部１２６に着脱自在に係合されることにより、押さえ部材１２２が装飾リング６６Ｃから外れるのを抑制することができる。
【０１０７】
以上のようにして、照明ユニット１２Ｃが器具本体８に取り付けられ、照明器具２Ｃのデザインを変更することができる。
【０１０８】
［４−３．効果］
以上説明したように、実施の形態４に係る照明器具２Ｃでは、支持本体部１１４は、円弧状に形成され、装飾部材４０Ｃの周縁部に着脱自在に取り付けられる。差込部１２０は、支持本体部１１４の一端部から他端部に亘って円弧状に延び、且つ、支持本体部１１４から径方向内側に延びている。
【０１０９】
この構成によれば、器具本体８の側方から支持部材３８Ｃを器具本体８に向けてスライドさせることにより、差込部１２０を器具本体８の鍔部２０と天井４との間に容易に差し込むことができる。
【０１１０】
さらに、支持部材３８Ｃは、さらに、円弧状に形成され、支持本体部１１４の反対側における装飾部材４０Ｃの周縁部に着脱自在に取り付けられた押さえ部材１２２を有している。押さえ部材１２２の両端部はそれぞれ、支持本体部１１４の両端部を装飾部材４０Ｃに向けて押さえるように配置されている。
【０１１１】
この構成によれば、支持本体部１１４の厚み方向のガタつきを抑制することができる。
【０１１２】
（実施の形態５）
［５−１．照明器具の構成］
次に、図１６を参照しながら、実施の形態５に係る照明器具２Ｄ及び照明ユニット１２Ｄの各構成について説明する。図１６は、実施の形態５に係る照明器具２Ｄを示す分解斜視図である。
【０１１３】
実施の形態５に係る照明器具２Ｄでは、支持部材３８Ｄ及び装飾部材４０Ｄの各構成が実施の形態１と異なっている。
【０１１４】
図１６に示すように、装飾部材４０Ｄの装飾リング６６Ｄの上面における外周部には、壁部１２８が形成されている。壁部１２８は、装飾部材４０Ｄの周方向に沿ってリング状に延びている。
【０１１５】
支持部材３８Ｄは、リング状の両面テープである。支持部材３８Ｄは、装飾リング６６Ｄの壁部１２８の上面と器具本体８の鍔部２０の下面との間に介在される。これにより、装飾部材４０Ｄが支持部材３８Ｄを介して器具本体８の鍔部２０に取り付けられる。
【０１１６】
なお、本実施の形態では、支持部材３８Ｄを両面テープとしたが、これに限定されず、例えばマジックテープ（登録商標）又は磁石等としてもよい。
【０１１７】
［５−２．効果］
以上説明したように、実施の形態５に係る照明器具２Ｄでは、装飾部材４０Ｄが支持部材３８Ｄを介して器具本体８の鍔部２０に取り付けられるので、照明器具２Ｄのデザインを容易に変更することができる。
【０１１８】
（変形例等）
以上、本発明について実施の形態１〜５に基づいて説明したが、本発明は、上記各実施の形態に限定されるものではない。
【０１１９】
例えば、上記各実施の形態では、装飾カバー６８（６８Ｂ）を乳白色の樹脂で形成したが、これに限定されない。例えば、装飾カバー６８（６８Ｂ）の側面のみを透光性を有する材料で形成し、装飾カバー６８（６８Ｂ）の底部を不透明の樹脂で形成してもよい。これにより、ランプ１０からの光は、装飾カバー６８（６８Ｂ）の側面のみを通して外部に照射されるようになる。あるいは、装飾部材４０（４０Ａ〜４０Ｄ）から装飾カバー６８（６８Ｂ）を省略してもよい。
【０１２０】
また、上記各実施の形態では、ＬＥＤモジュール２８の実装構造をＣＯＢ構造としたが、これに限定されず、例えばＬＥＤチップ３６がパッケージ化されたＬＥＤ素子を基板３４上に実装したＳＭＤ（Ｓｕｒｆａｃｅ  Ｍｏｕｎｔ  Ｄｅｖｉｃｅ）構造としてもよい。
【０１２１】
その他、上記各実施の形態に対して当業者が思い付く各種変形を施して得られる形態や、本発明の趣旨を逸脱しない範囲で各実施の形態における構成要素及び機能を任意に組み合わせることで実現される形態も本発明に含まれる。
【符号の説明】
【０１２２】
２，２’，２Ａ，２Ｂ，２Ｃ，２Ｄ  照明器具
４  天井
６  貫通孔
８  器具本体
１２，１２Ａ，１２Ｂ，１２Ｃ，１２Ｄ  照明ユニット
１０  ランプ（光源）
２０  鍔部
３８，３８Ａ，３８Ｂ，３８Ｃ，３８Ｄ  支持部材
４０，４０Ａ，４０Ｂ，４０Ｃ，４０Ｄ  装飾部材
４２，７２  第１の支持本体部（支持本体部）
４４，７４  第２の支持本体部（支持本体部）
４６，７６  第１の差込部（差込部）
４８，７８  第２の差込部（差込部）
５８，６０，８６，８８  第１の溝部
６２，６４，９０，９２  第２の溝部
６６，６６Ａ，６６Ｂ，６６Ｃ，６６Ｄ  装飾リング
６８，６８Ｂ  装飾カバー
８０  第３の差込部（差込部）
９６，９８  第３の溝部
１０４，１１４  支持本体部
１０６，１２０  差込部
１２２  押さえ部材
【図１】
2017098116.tif 000003
【図２】
2017098116.tif 000004
【図３】
2017098116.tif 000005
【図４】
2017098116.tif 000006
【図５】
2017098116.tif 000007
【図６】
2017098116.tif 000008
【図７】
2017098116.tif 000009
【図８】
2017098116.tif 000010
【図９】
2017098116.tif 000011
【図１０】
2017098116.tif 000012
【図１１】
2017098116.tif 000013
【図１２】
2017098116.tif 000014
【図１３】
2017098116.tif 000015
【図１４】
2017098116.tif 000016
【図１５】
2017098116.tif 000017
【図１６】
2017098116.tif 000018